(57)【特許請求の範囲】
【請求項１】
燃焼バーナ先端の中央部に内炎用の燃焼用ノズルが設けられると共に、この内炎用の燃焼用ノズルの外周側に外炎用の燃焼用ノズルが設けられ、内炎と外炎とを独立して制御できる燃焼装置において、燃焼バーナ先端の中央部に助燃性ガスを吐出させる助燃性ガス吐出ノズルと燃料ガスを吐出させる燃料ガス吐出ノズルとを有する内炎用の燃焼用ノズルが複数設けられると共に、この内炎用の燃焼用ノズルの外周側に、助燃性ガスを吐出させる助燃性ガス吐出ノズルと燃料ガスを吐出させる燃料ガス吐出ノズルとを有する外炎用の燃焼用ノズルが複数設けられ、上記の内炎用の燃焼用ノズルにおける助燃性ガス吐出ノズルに助燃性ガスを供給する内炎用助燃性ガス供給管と、内炎用の燃焼用ノズルにおける燃料ガス吐出ノズルに燃料ガスを供給する内炎用燃料ガス供給管と、外炎用の燃焼用ノズルにおける助燃性ガス吐出ノズルに助燃性ガスを供給する外炎用助燃性ガス供給管と、外炎用の燃焼用ノズルにおける燃料ガス吐出ノズルに燃料ガスを供給する外炎用燃料ガス供給管とが多重管構造になっており、上記の内炎用燃料ガス供給管と外炎用燃料ガス供給管とに供給する燃料ガスの量を独立して制御することを特徴とする燃焼装置。
【請求項２】
燃焼バーナ先端の中央部に内炎用の燃焼用ノズルが設けられると共に、この内炎用の燃焼用ノズルの外周側に外炎用の燃焼用ノズルが設けられ、内炎と外炎とを独立して制御できる燃焼装置において、燃焼バーナ先端の中央部に助燃性ガスを吐出させる助燃性ガス吐出ノズルと燃料ガスを吐出させる燃料ガス吐出ノズルとを有する内炎用の燃焼用ノズルが複数設けられると共に、この内炎用の燃焼用ノズルの外周側に、助燃性ガスを吐出させる助燃性ガス吐出ノズルと燃料ガスを吐出させる燃料ガス吐出ノズルとを有する外炎用の燃焼用ノズルが複数設けられ、上記の各燃焼用ノズルの先端部に燃焼用凹部が設けられ、この燃焼用凹部の中に上記の助燃性ガス吐出ノズルと燃料ガス吐出ノズルとが設けられた燃焼装置を用い、溶融金属容器の湯道に付着した地金を溶削させる初期に、上記の内炎用の燃焼用ノズルにおける燃焼を、外炎用の燃焼用ノズルにおける燃焼より強くすることを特徴とする溶融金属容器の湯道洗浄方法。
【請求項３】
燃焼バーナ先端の中央部に内炎用の燃焼用ノズルが設けられると共に、この内炎用の燃焼用ノズルの外周側に外炎用の燃焼用ノズルが設けられ、内炎と外炎とを独立して制御できる燃焼装置において、燃焼バーナ先端の中央部に助燃性ガスを吐出させる助燃性ガス吐出ノズルと燃料ガスを吐出させる燃料ガス吐出ノズルとを有する内炎用の燃焼用ノズルが複数設けられると共に、この内炎用の燃焼用ノズルの外周側に、助燃性ガスを吐出させる助燃性ガス吐出ノズルと燃料ガスを吐出させる燃料ガス吐出ノズルとを有する外炎用の燃焼用ノズルが複数設けられ、上記の内炎用の燃焼用ノズルにおける助燃性ガス吐出ノズルに助燃性ガスを供給する内炎用助燃性ガス供給管と、内炎用の燃焼用ノズルにおける燃料ガス吐出ノズルに燃料ガスを供給する内炎用燃料ガス供給管と、外炎用の燃焼用ノズルにおける助燃性ガス吐出ノズルに助燃性ガスを供給する外炎用助燃性ガス供給管と、外炎用の燃焼用ノズルにおける燃料ガス吐出ノズルに燃料ガスを供給する外炎用燃料ガス供給管とが多重管構造になっている燃焼装置を用い、溶融金属容器の湯道に付着した地金を溶削させる初期に、上記の内炎用の燃焼用ノズルにおける燃焼を、外炎用の燃焼用ノズルにおける燃焼より強くすることを特徴とする溶融金属容器の湯道洗浄方法。
【請求項４】
請求項２又は請求項３に記載の溶融金属容器の湯道洗浄方法において、溶融金属容器の湯道に付着した地金を溶削させる初期に、上記の内炎用の燃焼用ノズルにおける燃焼だけを行い、その後、外炎用の燃焼用ノズルにおける燃焼だけを行うことを特徴とする溶融金属容器の湯道洗浄方法。
【請求項５】
請求項３又は請求項４に記載の溶融金属容器の湯道洗浄方法において、上記の各燃焼用ノズルの先端部に燃焼用凹部が設けられ、この燃焼用凹部の中に上記の助燃性ガス吐出ノズルと燃料ガス吐出ノズルとが設けられていることを特徴とする溶融金属容器の湯道洗浄方法。
【請求項６】
請求項２〜請求項５の何れか１項に記載の溶融金属容器の湯道洗浄方法において、上記の助燃性ガス吐出ノズルから吐出させる助燃性ガスの吐出速度が４５０〜５００ｍ／ｓの範囲であることを特徴とする溶融金属容器の湯道洗浄方法。
【請求項７】
請求項２〜請求項６の何れか１項に記載の溶融金属容器の湯道洗浄方法において、上記の助燃性ガス吐出ノズルの内径をＤ、隣り合う内炎用の燃焼用ノズル同士、又は隣り合う外炎用の燃焼用ノズル同士における助燃性ガス吐出ノズル間の間隔をＰとした場合に、３≦Ｐ／Ｄ≦５の条件を満たすことを特徴とする溶融金属容器の湯道洗浄方法。
【発明の詳細な説明】
【技術分野】
【０００１】
本発明は、タンディッシュ等の溶融金属容器の湯道に付着した地金を溶削させたりするのに使用する燃焼装置及びこの燃焼装置により溶融金属容器の湯道に付着した地金を溶削させて除去し、溶融金属容器の湯道詰りを防止する溶融金属容器の湯道洗浄方法に関するものである。特に、上記の溶融金属容器の湯道に付着した地金を短時間で効率よく溶削させて、溶融金属容器における湯道を適切に洗浄できるようにした点に特徴を有するものである。
【背景技術】
【０００２】
従来から、タンディッシュ等の溶融金属容器においては、特許文献１に示されるように、溶融金属を通す湯道の部分における耐火物等に熱が奪われて溶融金属が凝固して湯道に地金が付着し、これにより湯道が詰まったりするという問題があった。また、湯道の別形態としては、特許文献２に示されるように、注湯口（タンディッシュ上ノズル）があり、これにおいても同様の問題があった。
【０００３】
このため、溶融金属容器の湯道に付着した地金を除去して、溶融金属容器において湯道が詰まるのを防止することが従来から行われている。
【０００４】
そして、このように湯道に付着した地金を除去するにあたり、従来においては、燃焼バーナを用いた燃焼装置により、湯道に付着した地金を加熱溶融させて除去することが行われていたが、湯道に付着した地金を加熱溶融させて除去するのに多くの時間を要するという問題があった。
【０００５】
また、湯道に付着した地金を速やかに加熱溶融させて除去するため、さらに燃焼装置と反対側から酸素ジェットランスを用いて酸素を吹き付けることも行われていた。
【０００６】
しかし、このように酸素ジェットランスを用いて酸素を吹き付ける場合、作業者が酸素ジェットランスを適切な位置にセットさせて酸素の吹き付けを行うため、作業が面倒であると共に、地金の加熱溶融に伴う煙等が発生して、作業者に悪影響を及ぼすおそれがあった。
【０００７】
また、従来においては、特許文献２に示されるように、湯道となるタンディッシュの注湯口（タンディッシュ上ノズル）の出口側にシールカバーを設け、このシールカバー内を通して、湯道に付着した地金に非酸化性ガス、還元性ガス、またはこれらの混合ガスを原料ガスとするプラズマジェットをプラズマトーチから吹き付けて、湯道を洗浄するようにしたものも提案されている。
【０００８】
しかし、このように湯道となるタンディッシュの注湯口の出口側にシールカバーを設け、プラズマトーチから上記のような原料ガスをプラズマジェットにして吹き付ける場合には、作業が面倒で、コストが高くつくと共に、湯道に付着した地金を速やかに除去させることができないという問題があった。
【先行技術文献】
【特許文献】
【０００９】
【特許文献１】特開平９−２２０６４７号公報
【特許文献２】特開平１１−１３８２４０号公報
【発明の開示】
【発明が解決しようとする課題】
【００１０】
本発明は、タンディッシュ等の溶融金属容器における湯道に付着した地金を溶削させたりする場合における上記のような問題を解決することを課題とするものである。
【００１１】
すなわち、本発明は、燃焼装置により溶融金属容器の湯道に付着した地金を溶削させて除去するにあたり、溶融金属容器の湯道に付着した地金を短時間で効率よく溶削させて、溶融金属容器における湯道を適切に洗浄できるようにすることを課題とするものである。
【課題を解決するための手段】
【００１２】
本発明における燃焼装置においては、上記のような課題を解決するため、燃焼バーナ先端の中央部に内炎用の燃焼用ノズルを設けると共に、この内炎用の燃焼用ノズルの外周側に外炎用の燃焼用ノズルを設け、内炎と外炎とを独立して制御できるようにした燃焼装置において、燃焼バーナ先端の中央部に助燃性ガスを吐出させる助燃性ガス吐出ノズルと燃料ガスを吐出させる燃料ガス吐出ノズルとを有する内炎用の燃焼用ノズルが複数設けられると共に、この内炎用の燃焼用ノズルの外周側に、助燃性ガスを吐出させる助燃性ガス吐出ノズルと燃料ガスを吐出させる燃料ガス吐出ノズルとを有する外炎用の燃焼用ノズルが複数設けられ、上記の内炎用の燃焼用ノズルにおける助燃性ガス吐出ノズルに助燃性ガスを供給する内炎用助燃性ガス供給管と、内炎用の燃焼用ノズルにおける燃料ガス吐出ノズルに燃料ガスを供給する内炎用燃料ガス供給管と、外炎用の燃焼用ノズルにおける助燃性ガス吐出ノズルに助燃性ガスを供給する外炎用助燃性ガス供給管と、外炎用の燃焼用ノズルにおける燃料ガス吐出ノズルに燃料ガスを供給する外炎用燃料ガス供給管とが多重管構造になっており、上記の内炎用燃料ガス供給管と外炎用燃料ガス供給管とに供給する燃料ガスの量を独立して制御するようにした。
【００１４】
ここで、この燃焼装置においては、上記の助燃性ガスとして、酸素や空気などを用いることができるが、燃料ガスの燃焼性を高めるためには、助燃性ガスに酸素を用いることが好ましい。
【００１５】
また、この燃焼装置において、上記の各助燃性ガス吐出ノズルから助燃性ガスを吐出させるにあたり、溶融金属容器の湯道に付着した地金を短時間で効率よく溶削させ、前方に吹き飛ばすためには、上記の各助燃性ガス吐出ノズルから助燃性ガスを高速で吐出させることが好ましく、一方、助燃性ガスを吐出させる速度が速くなりすぎると、火炎がリフトして、安定した燃焼が行えなくなるおそれがある。このため、上記の各助燃性ガス吐出ノズルから吐出させる助燃性ガスの吐出速度を４５０〜５００ｍ／ｓの範囲にすることが好ましい。
【００１６】
また、上記のように助燃性ガス吐出ノズルから助燃性ガスを高速で吐出させるようにした場合において、各燃焼用ノズルの先端部に燃焼用凹部を設けると、燃料ガスが安定して燃焼されるようになる。
【００１７】
また、燃焼バーナ先端に内炎用と外炎用の燃焼用ノズルをそれぞれ複数設けた場合において、内炎用及び外炎用の各燃焼用ノズルにおける助燃性ガス吐出ノズルと燃料ガス吐出ノズルとに、それぞれ助燃性ガスと燃料ガスとを適切に供給させるにあたっては、上記のように内炎用の燃焼用ノズルにおける助燃性ガス吐出ノズルに助燃性ガスを供給する内炎用助燃性ガス供給管と、内炎用の燃焼用ノズルにおける燃料ガス吐出ノズルに燃料ガスを供給する内炎用燃料ガス供給管と、外炎用の燃焼用ノズルにおける助燃性ガス吐出ノズルに助燃性ガスを供給する外炎用助燃性ガス供給管と、外炎用の燃焼用ノズルにおける燃料ガス吐出ノズルに燃料ガスを供給する外炎用燃料ガス供給管とを多重管構造にすることができる。
【００１８】
また、この燃焼装置においては、隣り合う内炎用の燃焼用ノズル同士や隣り合う外炎用の燃焼用ノズル同士において互いに適切な燃焼が行われると共に、燃焼を互いに補完できるようにするため、上記の助燃性ガス吐出ノズルの内径をＤ、隣り合う内炎用の燃焼用ノズル同士、又は隣り合う外炎用の燃焼用ノズル同士における助燃性ガス吐出ノズル間の間隔をＰとした場合に、３≦Ｐ／Ｄ≦５の条件を満たすようにすることが好ましい。
【００１９】
なお、本発明の燃焼装置は、溶融金属容器の湯道洗浄装置として使用する。一般に、溶融金属容器の湯道の断面は、直径５０ｍｍ以上、４００ｍｍ以下の円形か、当該円形と同面積の面である。
【００２０】
そして、本発明における第１の溶融金属容器の湯道洗浄方法においては、燃焼バーナ先端の中央部に内炎用の燃焼用ノズルが設けられると共に、この内炎用の燃焼用ノズルの外周側に外炎用の燃焼用ノズルが設けられ、内炎と外炎とを独立して制御できる燃焼装置において、燃焼バーナ先端の中央部に助燃性ガスを吐出させる助燃性ガス吐出ノズルと燃料ガスを吐出させる燃料ガス吐出ノズルとを有する内炎用の燃焼用ノズルが複数設けられると共に、この内炎用の燃焼用ノズルの外周側に、助燃性ガスを吐出させる助燃性ガス吐出ノズルと燃料ガスを吐出させる燃料ガス吐出ノズルとを有する外炎用の燃焼用ノズルが複数設けられ、上記の各燃焼用ノズルの先端部に燃焼用凹部が設けられ、この燃焼用凹部の中に上記の助燃性ガス吐出ノズルと燃料ガス吐出ノズルとが設けられた燃焼装置を用い、溶融金属容器の湯道に付着した地金を溶削させる初期に、上記の内炎用の燃焼用ノズルにおける燃焼を、外炎用の燃焼用ノズルにおける燃焼より強くするようにした。
また、本発明における第２の溶融金属容器の湯道洗浄方法においては、燃焼バーナ先端の中央部に内炎用の燃焼用ノズルが設けられると共に、この内炎用の燃焼用ノズルの外周側に外炎用の燃焼用ノズルが設けられ、内炎と外炎とを独立して制御できる燃焼装置において、燃焼バーナ先端の中央部に助燃性ガスを吐出させる助燃性ガス吐出ノズルと燃料ガスを吐出させる燃料ガス吐出ノズルとを有する内炎用の燃焼用ノズルが複数設けられると共に、この内炎用の燃焼用ノズルの外周側に、助燃性ガスを吐出させる助燃性ガス吐出ノズルと燃料ガスを吐出させる燃料ガス吐出ノズルとを有する外炎用の燃焼用ノズルが複数設けられ、上記の内炎用の燃焼用ノズルにおける助燃性ガス吐出ノズルに助燃性ガスを供給する内炎用助燃性ガス供給管と、内炎用の燃焼用ノズルにおける燃料ガス吐出ノズルに燃料ガスを供給する内炎用燃料ガス供給管と、外炎用の燃焼用ノズルにおける助燃性ガス吐出ノズルに助燃性ガスを供給する外炎用助燃性ガス供給管と、外炎用の燃焼用ノズルにおける燃料ガス吐出ノズルに燃料ガスを供給する外炎用燃料ガス供給管とが多重管構造になっている燃焼装置を用い、溶融金属容器の湯道に付着した地金を溶削させる初期に、上記の内炎用の燃焼用ノズルにおける燃焼を、外炎用の燃焼用ノズルにおける燃焼より強くするようにした。
【００２１】
また、本発明における溶融金属容器の湯道洗浄方法において、上記の各燃焼装置により溶融金属容器の湯道に付着した地金を溶削させて除去するにあたっては、溶融金属容器の湯道に付着した地金を溶削させる初期に、上記の内炎用の燃焼用ノズルにおける燃焼を、外炎用の燃焼用ノズルにおける燃焼より強くすることが好ましい。また、溶融金属容器の湯道に付着した地金を溶削させる初期に、上記の内炎用の燃焼用ノズルにおける燃焼だけを行い、その後、外炎用の燃焼用ノズルにおける燃焼だけを行うようにすることもできる。
【発明の効果】
【００２２】
本発明における燃焼装置においては、燃焼バーナ先端の中央部に内炎用の燃焼用ノズルを設けると共に、この内炎用の燃焼用ノズルの外周側に外炎用の燃焼用ノズルを設け、内炎と外炎とを独立して制御できるようにしたため、この燃焼装置を用いて溶融金属容器の湯道を洗浄する場合、溶融金属容器の湯道に付着した地金を溶削させる初期に、上記の内炎用の燃焼用ノズルにおける燃焼を、外炎用の燃焼用ノズルにおける燃焼より強くすることができる。さらに、溶融金属容器の湯道に付着した地金を溶削させる初期に、上記の内炎用の燃焼用ノズルにおける燃焼だけを行い、その後、外炎用の燃焼用ノズルにおける燃焼だけを行うようにすることもできる。
【００２３】
また、本発明における燃焼装置において、燃焼バーナ先端に設けられた複数の内炎用の燃焼用ノズルと、その外周側に設けられた複数の外炎用の燃焼用ノズルとにおいて、それぞれ助燃性ガス吐出ノズルから助燃性ガスを吐出させて燃料ガスを燃焼させるようにした場合、それぞれ助燃性ガス吐出ノズルから助燃性ガスを高速で吐出させて燃料ガスを強く燃焼させることができるようになると共に、このように助燃性ガスを助燃性ガス吐出ノズルから高速で吐出させた場合において、一部の燃焼用ノズルにおける火炎が不安定になっても、隣接する燃焼用ノズルにおける燃焼によって補完するので火炎が飛んだりするということがなく、各燃焼用ノズルにおいて安定した燃焼が行えるようになる。
【００２４】
そして、本発明における燃焼装置を用いて、溶融金属容器の湯道に付着した地金を溶削させて除去する場合、燃焼バーナ先端に設けられた複数の内炎用の燃焼用ノズルと、複数の外炎用の燃焼用ノズルとにおいて、それぞれ助燃性ガス吐出ノズルから助燃性ガスを高速で吐出させて燃料ガスを燃焼させることができ、従来のように酸素ジェットランスを用いなくても、燃焼バーナ先端に設けられた複数の内炎用の燃焼用ノズルと複数の外炎用の燃焼用ノズルとにおける燃焼によって、溶融金属容器の湯道に付着した地金が速やかに溶融されるようになり、溶融金属容器の湯道に付着した地金が短時間で効率よく溶削されて除去され、溶融金属容器における湯道を適切に洗浄できるようになる。
【図面の簡単な説明】
【００２５】
【図１】本発明の一実施形態に係る燃焼装置において、燃焼バーナの先端側の概略正面図である。
【図２】上記の実施形態における燃焼装置において、燃焼バーナ先端に設けた燃焼用ノズルの断面説明図である。
【図３】上記の実施形態における燃焼装置において、燃焼バーナ先端に設けられた内炎用の燃焼用ノズルにおける助燃性ガス吐出ノズルと燃料ガス吐出ノズル及び外炎用の燃焼用ノズルにおける助燃性ガス吐出ノズルと燃料ガス吐出ノズルとにそれぞれ助燃性ガスや燃料ガスを供給する構造を示した概略断面説明図である。
【図４】上記の実施形態における燃焼装置において、制御装置によって内炎用の燃焼用ノズルに供給する助燃性ガス及び燃料ガスの量を制御すると共に、外炎用の燃焼用ノズルに供給する助燃性ガス及び燃料ガスの量を制御する構成を示したブロック図である。
【図５】上記の実施形態における燃焼装置を用いて溶融金属容器の湯道に付着した地金を溶削させる状態を示した概略断面説明図である。
【図６】上記の実施形態における燃焼装置を用いて溶融金属容器の湯道に付着した地金を溶削させる初期において、内炎用の燃焼用ノズルにおける燃焼を、外炎用の燃焼用ノズルにおける燃焼より強くした状態を示した概略説明図である。
【発明を実施するための最良の形態】
【００２６】
以下、この発明の実施形態に係る燃焼装置及びこの燃焼装置を用いて溶融金属容器の湯道に付着した地金を溶削させて除去する溶融金属容器の湯道洗浄方法を添付図面に基づいて具体的に説明する。なお、この発明に係る燃焼装置及び溶融金属容器の湯道洗浄方法は下記の実施形態に示したものに限定されず、発明の要旨を変更しない範囲において、適宜変更して実施できるものである。
【００２７】
この実施形態における燃焼装置においては、図１〜図３に示すように、燃焼バーナ１０先端の中央部に、酸素や空気からなる助燃性ガスを音速以上の高速で吐出させることができるラバールノズルを用いた助燃性ガス吐出ノズル１１ａと、燃料ガスを吐出させる燃料ガス吐出ノズル１２ａとを有する内炎用の燃焼用ノズル１３ａを複数設けると共に、この内炎用の燃焼用ノズル１３ａの外周側に、酸素や空気からなる助燃性ガスを音速以上の高速で吐出させることができるラバールノズルを用いた助燃性ガス吐出ノズル１１ｂと、燃料ガスを吐出させる燃料ガス吐出ノズル１２ｂとを有する外炎用の燃焼用ノズル１３ｂを複数設け、さらにこの外炎用の燃焼用ノズル１３ｂの外周側に、この燃焼バーナ１０を冷却させるための冷却部１４を設けている。
【００２８】
ここで、上記の内炎用及び外炎用の各燃焼用ノズル１３ａ，１３ｂにおいては、図２に示すように、それぞれの先端部に燃焼用凹部１５ａ，１５ｂが設けられ、この燃焼用凹部１５ａ，１５ｂに、上記の助燃性ガス吐出ノズル１１ａ，１１ｂから助燃性ガスを吐出させると共に上記の燃料ガス吐出ノズル１２ａ，１２ｂから燃料ガスを吐出させ、この燃焼用凹部１５ａ，１５ｂにおいて、燃料ガスを助燃性ガスと接触させて燃焼させるようにしている。
【００２９】
また、上記の内炎用及び外炎用の各燃焼用ノズル１３ａ，１３ｂにおける各助燃性ガス吐出ノズル１１ａ，１１ｂに助燃性ガスを供給すると共に、各燃料ガス吐出ノズル１２ａ，１２ｂに燃料ガスを供給するにあたり、この実施形態においては、図３に示すように、内炎用の燃焼用ノズル１３ａにおける助燃性ガス吐出ノズル１１ａに助燃性ガスを供給する内炎用助燃性ガス供給管１６ａと、内炎用の燃焼用ノズル１３ａにおける燃料ガス吐出ノズル１２ａに燃料ガスを供給する内炎用燃料ガス供給管１７ａと、外炎用の燃焼用ノズル１３ｂにおける助燃性ガス吐出ノズル１１ｂに助燃性ガスを供給する外炎用助燃性ガス供給管１６ｂと、外炎用の燃焼用ノズル１３ｂにおける燃料ガス吐出ノズル１２ｂに燃料ガスを供給する外炎用燃料ガス供給管１７ｂとを同心円状に配置させた多重管構造にして、上記のように内炎用及び外炎用の各燃焼用ノズル１３ａ，１３ｂが設けられた燃焼バーナ１０先端のノズル部１０ａに接続させている。
【００３０】
また、この実施形態の燃焼装置においては、図４に示すように、制御装置２０により、助燃性ガス供給装置２１から上記の内炎用の燃焼用ノズル１３ａ及び外炎用の燃焼用ノズル１３ｂにおける各助燃性ガス吐出ノズル１１ａ，１１ｂに供給する助燃性ガスの量を制御すると共に、燃料ガス供給装置２２から上記の内炎用の燃焼用ノズル１３ａ及び外炎用の燃焼用ノズル１３ｂにおける各燃料ガス吐出ノズル１２ａ，１２ｂに供給する燃料ガスの量を制御するようにしている。
【００３１】
そして、図５に示すように、タンディッシュ等の溶融金属容器３０において耐火物３１に設けられた溶融金属を通す湯道３２の部分に付着した地金３３を、この実施形態の燃焼装置を用いて溶削させるにあたっては、上記の燃焼バーナ１０先端を上記の湯道３２の部分に向けてセットし、上記の内炎用及び外炎用の各燃焼用ノズル１３ａ，１３ｂにおける上記の燃焼用凹部１５ａ，１５ｂに、それぞれ助燃性ガス吐出ノズル１１ａ，１１ｂから助燃性ガスを吐出させると共に燃料ガス吐出ノズル１２ａ，１２ｂから燃料ガスを吐出させ、燃料ガスを内炎用及び外炎用の各燃焼用ノズル１３ａ，１３ｂにおいて燃焼させて、湯道３２の部分に付着した地金３３を溶削させるようにしている。
【００３２】
ここで、上記のように内炎用及び外炎用の各燃焼用ノズル１３ａ，１３ｂにおける燃焼用凹部１５ａ，１５ｂに、それぞれ助燃性ガス吐出ノズル１１ａ，１１ｂから助燃性ガスを吐出させると共に燃料ガス吐出ノズル１２ａ，１２ｂから燃料ガスを吐出させるようにすると、各燃焼用凹部１５ａ，１５ｂの内部で助燃性ガスと燃料ガスとが互いにぶつかって攪拌されて混合されるため、各燃焼用ノズル１３ａ，１３ｂにおいて安定した火炎が得られるようになると共に、火炎が燃焼バーナ１０の内部に逆火するのも防止される。
【００３３】
ここで、内炎用及び外炎用の各燃焼用ノズル１３ａ，１３ｂに設けられた上記の助燃性ガス吐出ノズル１１ａ，１１ｂからそれぞれ助燃性ガスを音速以上の高速で吐出させると、内炎用及び外炎用の各燃焼用ノズル１３ａ，１３ｂにおける高速の火炎により、湯道３２の部分に付着した地金３３が速やかに溶融されて、湯道３２の部分に付着した地金３３が速やかに溶削されるようになる。
【００３４】
また、上記のように助燃性ガス吐出ノズル１１ａ，１１ｂからそれぞれ助燃性ガスを音速以上の高速で吐出させた場合においては、内炎用及び外炎用の各燃焼用ノズル１３ａ，１３ｂにおける上記の燃焼用凹部１５ａ，１５ｂにおいて火炎が保炎されると共に、隣接する各燃焼用ノズル１３ａ，１３ｂにおける燃焼により、火炎が飛んで消えたりするということもなく、各燃焼用ノズル１３ａ，１３ｂにおいて安定した燃焼が行えるようになる。
【００３５】
ここで、上記の各助燃性ガス吐出ノズル１１ａ，１１ｂから助燃性ガスを吐出させる吐出速度が遅くなると、上記のように溶融された地金３３を前方に押し出して適切に吹き飛ばすことができなくなる。一方、吐出速度が速くなりすぎると、各燃焼用ノズル１３ａ，１３ｂにおける火炎がリフトして燃焼が不安定になり、これにより燃焼効率が低下して、溶解効率が低下すると共に騒音が大きくなる。このため、各助燃性ガス吐出ノズル１１ａ，１１ｂから助燃性ガスを吐出させる吐出速度を４５０〜５００ｍ／ｓの範囲にすることが好ましい。
【００３６】
また、上記の内炎用及び外炎用の各燃焼用ノズル１３ａ，１３ｂにおいて、隣り合う燃焼用ノズル１３ａ，１３ａ、１３ｂ，１３ｂにおいて互いに適切な燃焼が行われると共に、燃焼を互いに補完できるようにするためには、図１に示すように、助燃性ガス吐出ノズル１１ａ，１１ｂの内径をＤ、内炎用の燃焼用ノズル１３ａや外炎用の燃焼用ノズル１３ｂにおいて、それぞれ隣り合う燃焼用ノズル１３ａ，１３ａ、１３ｂ，１３ｂにおける助燃性ガス吐出ノズル１１ａ，１１ａ、１１ｂ，１１ｂ間の間隔をＰとした場合に、３≦Ｐ／Ｄ≦５の条件を満たすようにすることが好ましい。
【００３７】
なお、上記のように内炎用及び外炎用の各燃焼用ノズル１３ａ，１３ｂにおいて燃料ガスを燃焼させて、湯道３２の部分に付着した地金３３を溶削させるにあたり、初期の段階においては、上記の制御装置２０により、内炎用の助燃性ガス吐出ノズル１１ａから吐出させる助燃性ガスの量及び内炎用の燃料ガス吐出ノズル１２ａから吐出させる燃料ガスの量を、外炎用の助燃性ガス吐出ノズル１１ｂから吐出させる助燃性ガスの量及び外炎用の燃料ガス吐出ノズル１２ｂから吐出させる燃料ガスの量よりも多くし、図６に示すように、内炎用の燃焼用ノズル１３ａにおける燃焼を、外炎用の燃焼用ノズル１３ｂにおける燃焼より強くすることが好ましい。
【００３８】
このようにすると、湯道３２に付着した地金３３によって湯道３２の開口が小さくなっていても、内炎用の燃焼用ノズル１３ａにおける燃焼の火炎により、この湯道３２の中心部における地金３３が速やかに溶削され、湯道３２が貫通されて開口が次第に大きくなり、湯道３２に付着した地金３３が適切に溶削されると共に、火炎がバックラッシュしたりするのが防止されるようになる。また、上記の外炎用の燃焼用ノズル１３ｂによる外炎によって周囲の空気の巻き込みが防止されるため、内炎の速度が減衰したり、温度が低下したりするのが軽減される。
【００３９】
また、このように湯道３２の中心部における地金３３を溶削させて、地金３３が付着した湯道３２における貫通孔をある程度まで大きくした後に、外炎用の助燃性ガス吐出ノズル１１ｂから吐出させる助燃性ガスの量及び外炎用の燃料ガス吐出ノズル１２ｂから吐出させる燃料ガスの量を多くして、外炎用の燃焼用ノズル１３ｂにおける燃焼を強くし、湯道３２の周辺部に付着した地金３３を溶削させるようにする。
【００４０】
なお、上記の実施形態において、湯道３２に付着した地金３３を溶削する初期に、内炎用の燃焼用ノズル１３ａにおける燃焼を、外炎用の燃焼用ノズル１３ｂにおける燃焼より強くするようにしたが、湯道３２に付着した地金３３を溶削する後期に、外炎用の燃焼用ノズル１３ｂにおける燃焼を、内炎用の燃焼用ノズル１３ａにおける燃焼より強くしてもよい。
【００４１】
また、湯道３２に付着した地金３３を溶削する初期に、内炎用の燃焼用ノズル１３ａにおける燃焼だけを行い、地金３３が付着した湯道３２における貫通孔をある程度まで大きくした後、外炎用の燃焼用ノズル１３ｂにおける燃焼だけを行うようにすることもできる。
【００４２】
上記のように、本発明においては、内炎用の燃焼用ノズル１３ａにおける燃焼と、外炎用の燃焼用ノズル１３ｂにおける燃焼とをそれぞれ独立して制御し、湯道３２の開口が付着した地金３３によって小さくなっている場合には、内炎用の燃焼用ノズル１３ａによる内炎を外炎用の燃焼用ノズル１３ｂによる外炎より強くし、湯道３２の中心部における地金３３を溶解させて、湯道３２を貫通する開口を徐々に大きくするのに燃料を集中して使用し、湯道３２を貫通する開口がある程度大きくなった時点で、外炎用の燃焼用ノズル１３ｂにおける燃焼を、内炎用の燃焼用ノズル１３ａにおける燃焼より強くして、湯道３２を貫通する開口を広げることに燃料を集中させるようにしている。このため、燃料を効率よく使用することができ、従来よりも短時間で湯道３２を洗浄することが可能になった。
【符号の説明】
【００４３】
１０  燃焼バーナ
１１ａ，１１ｂ  助燃性ガス吐出ノズル
１２ａ，１２ｂ  燃料ガス吐出ノズル
１３ａ，１３ｂ  燃焼用ノズル
１４  冷却部
１５ａ，１５ｂ  燃焼用凹部
１６ａ  内炎用助燃性ガス供給管
１６ｂ  外炎用助燃性ガス供給管
１７ａ  内炎用燃料ガス供給管
１７ｂ  外炎用燃料ガス供給管
２０  制御装置
２１  助燃性ガス供給装置
２２  燃料ガス供給装置
３０  溶融金属容器
３１  耐火物
３２  湯道
３３  地金
Ｄ  助燃性ガス吐出ノズルの内径
Ｐ  隣り合う助燃性ガス吐出ノズル間の間隔
【図１】
0005749112.tif 000002
【図２】
0005749112.tif 000003
【図３】
0005749112.tif 000004
【図４】
0005749112.tif 000005
【図５】
0005749112.tif 000006
【図６】
0005749112.tif 000007